(57)【要約】【課題】室内の清潔性を効果的に保持することができる清掃システムを得る。【解決手段】本発明に係る清掃システムは、被清掃面上の塵埃を除去して室内を清掃する電気掃除機１００の三次元の位置を示す三次元位置情報および当該位置において当該電気掃除機１００が除去した塵埃の量を示す塵埃情報を取得する取得部３０１、塵埃を捕集するフィルターを通過する空気流を室内へ生成する送風部２０６を取得部３０１が取得した三次元位置情報および塵埃情報に応じて制御する制御部３０３と、を備えたものである。【選択図】図１
2020182689.tif 000002
【特許請求の範囲】
【請求項１】
被清掃面上の塵埃を除去して室内を清掃する清掃手段の三次元の位置を示す三次元位置情報および当該位置において当該清掃手段が除去した塵埃の量を示す塵埃情報を取得する情報取得手段と、
塵埃を捕集するフィルターを通過する空気流を室内へ生成する送風手段を前記情報取得手段が取得した前記三次元位置情報および前記塵埃情報に応じて制御する制御手段と、
を備えた清掃システム。
【請求項２】
前記送風手段を更に備えた請求項１に記載の清掃システム。
【請求項３】
前記清掃手段を更に備えた請求項１または請求項２に記載の清掃システム。
【請求項４】
被清掃面上の塵埃を除去して室内を清掃する清掃手段の三次元の位置を示す三次元位置情報および当該位置において当該清掃手段が除去した塵埃の量を示す塵埃情報を取得する情報取得手段と、
前記情報取得手段が取得した前記三次元位置情報および前記塵埃情報に応じて、前記室内の清掃を支援する情報を出力する出力手段を備え、
前記出力手段によって出力される情報には、前記室内において塵埃が堆積する位置の三次元の情報および当該位置における塵埃の堆積量に関する情報が含まれる清掃システム。
【請求項５】
塵埃を捕集するフィルターを通過する空気流を室内へ生成する送風手段を前記情報取得手段が取得した前記三次元位置情報および前記塵埃情報に応じて制御する制御手段、を更に備えた請求項４に記載の清掃システム。
【請求項６】
前記送風手段を更に備えた請求項５に記載の清掃システム。
【請求項７】
前記清掃手段を更に備えた請求項４から請求項６の何れか１項に記載の清掃システム。
【請求項８】
前記清掃手段は、二次電池から供給される電力によって動作し、
前記出力手段は、前記二次電池の残量に応じて、前記清掃手段による前記室内の清掃を支援する情報を出力する請求項４から請求項７の何れか１項に記載の清掃システム。
【発明の詳細な説明】
【技術分野】
【０００１】
本発明は、清掃システムに関するものである。
【背景技術】
【０００２】
特許文献１に集塵システムが記載されている。この集塵システムは、送風を行う送風部と、送風部の送風に応じて塵埃を回収する集塵部と、清掃機器の位置情報および当該位置情報が示す位置において清掃機器が回収した塵埃に関する塵埃情報とに基づいて塵埃の発生態様を推定し、推定された発生態様に基づいて送風部および集塵部を制御する制御部と、を備えるものである。
【先行技術文献】
【特許文献】
【０００３】
【特許文献１】特開２０１７−９９５４０号公報
【発明の概要】
【発明が解決しようとする課題】
【０００４】
特許文献１において、送風部および集塵部の制御に用いられる清掃機器の位置情報は、二次元の情報である。特許文献１に記載の集塵システムおいては、例えば、ある特定の水平位置における高い位置と低い位置とでの情報を区別して用いることができない。特許文献１に記載の集塵システムおいては、例えば、特定の家具の上における塵埃の発生態様と当該家具の下における塵埃の発生態様とを区別して推定することができない。特許文献１に記載の集塵システムおいては、室内の清潔性を効果的に保持することが難しい。
【０００５】
本発明は、上記のような課題を解決するためになされたものである。本発明の目的は、室内の清潔性を効果的に保持することができる清掃システムを得ることである。
【課題を解決するための手段】
【０００６】
本発明に係る清掃システムは、被清掃面上の塵埃を除去して室内を清掃する清掃手段の三次元の位置を示す三次元位置情報および当該位置において当該清掃手段が除去した塵埃の量を示す塵埃情報を取得する情報取得手段と、塵埃を捕集するフィルターを通過する空気流を室内へ生成する送風手段を情報取得手段が取得した三次元位置情報および塵埃情報に応じて制御する制御手段と、を備えたものである。
また、本発明に係る清掃システムは、被清掃面上の塵埃を除去して室内を清掃する清掃手段の三次元の位置を示す三次元位置情報および当該位置において当該清掃手段が除去した塵埃の量を示す塵埃情報を取得する情報取得手段と、情報取得手段が取得した三次元位置情報および塵埃情報に応じて、室内の清掃を支援する情報を出力する出力手段を備え、出力手段によって出力される情報には、室内において塵埃が堆積する位置の三次元の情報および当該位置における塵埃の堆積量に関する情報が含まれる。
【発明の効果】
【０００７】
本発明に係る清掃システムによれば、室内の清潔性を効果的に保持することができる。
【図面の簡単な説明】
【０００８】
【図１】実施の形態１に係る清掃システムのシステム構成を示すブロック図である。
【図２】実施の形態１に係る清掃システムを構成する室内清掃ユニットの斜視図である。
【図３】実施の形態１に係る制御ユニットの機能を実現する構成の一例を示す図である。
【図４】実施の形態１に係る清掃システムが三次元位置情報および塵埃情報を取得する様子を示すイメージ図である。
【図５】実施の形態１に係る塵埃堆積予測マップの具体例を示すイメージ図である。
【図６】実施の形態１に係る塵埃堆積予測マップの具体例を示すイメージ図である。
【発明を実施するための形態】
【０００９】
以下、添付の図面を参照して、本発明を実施するための形態について説明する。各図における同一の符号は、同一の部分または相当する部分を示す。また、本開示では、重複する説明については、適宜に簡略化または省略する。なお、本発明は、その趣旨を逸脱しない範囲において、以下の実施の形態によって開示される構成のあらゆる変形およびあらゆる組み合わせを含み得るものである。
【００１０】
実施の形態１．
図１は、実施の形態１に係る清掃システムのシステム構成を示すブロック図である。図２は、実施の形態１に係る清掃システムを構成する室内清掃ユニットの斜視図である。なお、図２は、実施の形態１に係る室内清掃ユニットの構成を模式的に示すものであり、各構成要素の配置、形状および数量等は、図示のものに限られない。
【００１１】
本実施の形態に係る清掃システムは、図１に示されるように、電気掃除機１００および空気清浄機２００を備える。図２に示される室内清掃ユニットは、電気掃除機１００および空気清浄機２００によって構成される。室内清掃ユニットを構成する電気掃除機１００は、空気清浄機２００に対して着脱自在である。図２は、空気清浄機２００に電気掃除機１００が取り付けられた状態を示している。
【００１２】
図２に示される実施例において、電気掃除機１００は、コードレスタイプの縦型の電気掃除機である。コードレスタイプの縦型の電気掃除機とは、すなわち、充電式の電気掃除機である。縦型の電気掃除機とは、スティック型の電気掃除機とも呼ばれるものである。コードレスタイプの電気掃除機１００の内部には、図示しない二次電池が内蔵されている。コードレスタイプの電気掃除機１００は、二次電池から供給される電力によって動作する機器である。
【００１３】
図２に示される実施例において、空気清浄機２００は、室内の空気を清浄する機器としての機能と、電気掃除機１００の充電台としての機能を有する。空気清浄機２００は、自立可能に構成されている。空気清浄機２００は、例えば、室内の床面に設置されて使用される。なお、本開示における「室内」とは、壁等の構造物によって囲まれた所定の空間を意味するものである。当該空間は閉じられた空間でもよいし、開かれた空間でもよい。
【００１４】
空気清浄機２００は、電気掃除機１００を支持可能に構成されている。電気掃除機１００は、例えば、直立した状態で空気清浄機２００に支持される。空気清浄機２００は、図示しない電源ケーブル等によって、外部電源に接続可能である。電気掃除機１００に内蔵された二次電池は、外部電源に接続された空気清浄機２００に取り付けられることで充電される。
【００１５】
まず、電気掃除機１００の構成および機能について説明する。電気掃除機１００は、被清掃面上の塵埃を除去して室内を清掃する機器である。本実施の形態における電気掃除機１００は、本開示に係る清掃手段の一例である。本開示では、ごみ、埃、毛髪、繊維等のような清掃対象となるものを総称して、「塵埃」と称する。また、本開示における被清掃面には、床面だけでなく、テーブル、棚および布団等の家具の上面等も含まれる。図２に示されるように、電気掃除機１００は、例えば、掃除機本体部１０１、延長管１０２およびヘッド部１０３を有している。
【００１６】
掃除機本体部１０１は、電気掃除機１００の主たる構成部材である。掃除機本体部１０１には、電動送風機および上記した二次電池が内蔵されている。電動送風機は、電気掃除機１００が塵埃を吸引するための気流を発生させる機器である。二次電池は、電動送風機が駆動するための電力源である。掃除機本体部１０１に内蔵された二次電池は、電気掃除機１００が空気清浄機２００に取り付けられることで、充電される。
【００１７】
延長管１０２は、直線状に伸びる筒状の部材である。延長管１０２の一方の端部は、ヘッド部１０３に接続可能である。ヘッド部１０３は、延長管１０２に対して着脱自在である。延長管１０２の他方の端部は、掃除機本体部１０１に接続可能である。延長管１０２は、掃除機本体部１０１に対して着脱自在である。
【００１８】
ヘッド部１０３は、床面等の被清掃面上の塵埃を除去するためのものである。ヘッド部１０３は、掃除具または吸込具とも呼ばれる部品である。ヘッド部１０３は、延長管１０２を介して、掃除機本体部１０１に対して着脱自在に接続される。なお、ヘッド部１０３は、延長管１０２を介さずに、掃除機本体部１０１に着脱自在に接続されてもよい。また、掃除機本体部１０１と延長管１０２とは、一体であってもよい。
【００１９】
延長管１０２およびヘッド部１０３の内部には、外部から掃除機本体部１０１に塵埃を含む空気を流入させるための風路が形成される。掃除機本体部１０１に内蔵された電動送風機は、延長管１０２およびヘッド部１０３の内部の風路に気流を生成することができる。なお、本開示では、塵埃を含む空気を、「含塵空気」と呼ぶ場合がある。また、本開示では、塵埃が取り除かれて清浄な状態になった空気を、「清浄空気」と呼ぶ場合がある。
【００２０】
掃除機本体部１０１は、含塵空気から塵埃を分離する機能を有する。また、掃除機本体部１０１は、分離した塵埃を捕集する機能を有する。掃除機本体部１０１は、一例として、把持部１０４、吸込管１０５および集塵部１０６を備える。
【００２１】
把持部１０４は、電気掃除機１００の使用中に使用者が把持する部材である。吸込管１０５は、直線状に伸びる筒状の部材である。吸込管１０５の内部には、延長管１０２およびヘッド部１０３を通過した含塵空気が流れる流路が形成されている。一例として、吸込管１０５は、外観上、把持部１０４に連続するように形成されている。
【００２２】
集塵部１０６は、含塵空気から塵埃を分離して、当該塵埃を捕集する集塵装置である。集塵部１０６は、着脱自在に形成される。集塵部１０６の内部には、吸込管１０５の内部の風路と通じる風路が形成されている。
【００２３】
一例として、集塵部１０６は、電動送風機が発生させた気流によって吸引された含塵空気を旋回させて、遠心力によって塵埃を分離する。一例として、集塵部１０６は、サイクロン分離機能を有する。なお、集塵部１０６は、サイクロン式の集塵装置に限られるものではない。集塵部１０６は、例えば、紙パック式の集塵装置であってもよい。
【００２４】
一例として、把持部１０４には、使用者が電気掃除機１００を操作して当該電気掃除機１００の運転を制御するための図示しない操作部が設けられている。この操作部には、例えば、電気掃除機１００の運転を制御するための複数のボタンが含まれる。掃除機本体部１０１に内蔵された電動送風機は、使用者からの操作部に対する操作に応じて、予め設定された動作を行う。また、操作部は、電気掃除機１００の状態を使用者に対して表示する表示手段として、ランプおよび液晶画面等を備えていても良い。
【００２５】
上記のように構成された電気掃除機１００は、使用時に空気清浄機２００から取り外される。電気掃除機１００の使用者は、把持部１０４に設けられた操作部を操作して、電動送風機を駆動させる。電動送風機が駆動することにより、被清掃面上の塵埃を含む含塵空気が、ヘッド部１０３に吸引される。使用者は、例えば、ヘッド部１０３の底面を被清掃面に接触させた状態で電気掃除機１００を動かして、室内の清掃を行う。ヘッド部１０３に吸い込まれた含塵空気は、集塵部１０６へ送られる。集塵部１０６へ送られた含塵空気は、塵埃と空気とに分離される。当該塵埃は、集塵部１０６に捕集される。集塵部１０６によって塵埃と分離された空気、すなわち清浄空気は、電気掃除機１００の外部へ排出される。
【００２６】
なお、使用者は、延長管１０２およびヘッド部１０３の少なくとも一方を掃除機本体部１０１から取り外した状態で室内を清掃してもよい。使用者は、例えば、延長管１０２およびヘッド部１０３が取り外された状態の掃除機本体部１０１によって家具の上面の清掃を行うことができる。
【００２７】
図１に示されるように、本実施の形態の清掃システムを構成する電気掃除機１００には、塵埃センサ１０７が備えられている。塵埃センサ１０７は、掃除機本体部１０１、延長管１０２およびヘッド部１０３の少なくとも１つに設けられている。塵埃センサ１０７は、当該塵埃センサ１０７が設けられた風路を通過する塵埃の量を検出するセンサである。塵埃センサ１０７は、電気掃除機１００が吸引した塵埃の量、すなわち電気掃除機１００が被清掃面から除去した塵埃の量を検出する塵埃量検出手段の一例である。本実施の形態において、塵埃センサ１０７の検出結果は、図１に示されるように、電気掃除機１００の外部の装置に対して出力される。
【００２８】
次に、空気清浄機２００の構成および機能について説明する。図２に示されるように、空気清浄機２００は、台座部２０１およびタワー部２０２を備えている。台座部２０１は、床面等の設置面に載置される部材である。タワー部２０２は、柱状の部材である。タワー部２０２は、台座部２０１の上に立つように設けられている。一例として、タワー部２０２は、台座部２０１に対して左右方向に回転可能に構成される。
【００２９】
タワー部２０２は、電気掃除機１００を支持可能に構成されている。タワー部２０２には、掃除機本体部１０１に設けられた端子と接続可能な端子が設けられている。掃除機本体部１０１がタワー部２０２に取り付けられると、掃除機本体部１０１に設けられた端子とタワー部２０２に設けられた端子とが電気的に接続する。これにより、電気掃除機１００に内蔵された二次電池は、充電される。
【００３０】
図２に示されるように、空気清浄機２００は、空気を吸いこむための吸込口２０３と、吸込口２０３から吸い込まれた空気中の塵埃を捕集するフィルター２０４を備える。また、空気清浄機２００は、フィルター２０４を通過した空気を吹き出すための吹出口２０５を備える。空気清浄機２００は、フィルター２０４を通過した清浄な空気を吹出口２０５から室内へ送風する。
【００３１】
吸込口２０３および吹出口２０５は、例えば、タワー部２０２に形成される。吸込口２０３は、例えば、タワー部２０２の側面に形成される。吹出口２０５は、例えば、タワー部２０２の天面に形成される。フィルター２０４は、吸込口２０３および吹出口２０５が形成されたタワー部２０２に内蔵される。タワー部２０２に内蔵されたフィルター２０４は、吸込口２０３と吹出口２０５との間に位置する。
【００３２】
なお、吸込口２０３、フィルター２０４および吹出口２０５の配置等は、上記の例に限られるものではない。例えば、吸込口２０３はタワー部２０２の上面以外の部分に形成されてもよいし、台座部２０１に形成されてもよい。吹出口２０５は、例えば、タワー部２０２の側面等に形成されてもよい。また、フィルター２０４は、例えば、吸込口２０３を覆うように設けられてもよい。空気清浄機２００のフィルター２０４は、吹出口２０５よりも上流に配置されていればよい。
【００３３】
図１に示されるように、本実施の形態の清掃システムを構成する空気清浄機２００には、送風部２０６が備えられている。送風部２０６は、塵埃を捕集するフィルター２０４を通過する空気流を室内へ生成するものである。送風部２０６は、本開示に係る送風手段の一例である。
【００３４】
空気清浄機２００は、送風部２０６が制御されることによって任意の方向に任意の風量の空気を送風することができるように構成されている。送風部２０６は、具体的には、例えば、タワー部２０２に内蔵されたファン２０７、吹出口２０５の近傍に配置されたルーバー２０８、ファン２０７およびルーバー２０８を動作させる図示しないモータ、等から構成される。ファン２０７は、フィルター２０４を通過する空気流を生成する機器である。ファン２０７は、吸込口２０３から吹出口２０５へ向かう気流を発生させる。ファン２０７が制御されることで、空気清浄機２００の送風量が調整される。また、ルーバー２０８は、吹出口２０５から吹き出される空気の風向を上下左右方向に変化させる。ルーバー２０８が制御されることで、空気清浄機２００の送風方向が調整される。
【００３５】
なお、ルーバー２０８は吹出口２０５から吹き出される空気の風向を上下方向または左右方向に変化させるように構成されたものでもよい。吹出口２０５から吹き出される空気の風向は、例えば、タワー部２０２が台座部２０１に対して回転することで左右に調整されてもよい。また、空気清浄機２００のタワー部２０２は、必ずしも台座部２０１に対して回転可能に構成されたものでなくてもよい。タワー部２０２と台座部２０１とは、一体の部材として形成されていてもよい。
【００３６】
次に、本実施の形態に係る清掃システム全体の構成および機能について説明する。本実施の形態に係る清掃システムは、図１に示されるように、システム制御ユニット３００を備える。システム制御ユニット３００は、清掃システムの動作を制御するためのものである。システム制御ユニット３００は、電気掃除機１００および空気清浄機２００と通信可能に構成されている。本実施の形態において、システム制御ユニット３００は、空気清浄機２００の動作を制御する機能を有している。
【００３７】
図１に示されるように、本実施の形態のシステム制御ユニット３００は、取得部３０１、記憶部３０２、制御部３０３および出力部３０４を備えている。
【００３８】
取得部３０１は、清掃システムを制御するための各種の情報を取得するものである。取得部３０１は、例えば、電気掃除機１００の三次元の位置を示す三次元位置情報を取得する。具体的には、取得部３０１は、空気清浄機２００に備えられた位置センサ２０９の検出結果の情報を取得する。位置センサ２０９は、電気掃除機１００の位置を検出するセンサであり、位置検出手段の一例である。
【００３９】
上記の位置センサ２０９は、電気掃除機１００のうち、特に、被清掃面に接触している部分の位置を検出する。すなわち、位置センサ２０９は、電気掃除機１００によって清掃された場所の三次元の位置を検出する。位置センサ２０９は、例えば、電気掃除機１００の延長管１０２の着脱およびヘッド部１０３の着脱を検出する機能を有してもよい。これにより、位置センサ２０９は、電気掃除機１００によって清掃された場所の三次元の位置を精度良く検出することができる。
【００４０】
位置センサ２０９は、例えば、加速度センサ、超音波センサ、赤外線センサまたはカメラ等によって構成される。なお、電気掃除機１００には、当該電気掃除機１００の三次元位置情報を発信可能に構成されていてもよい。位置センサ２０９は、電気掃除機１００から発信された情報を近距離無線通信またはインターネット等によって受信するものであってもよい。また、位置センサ２０９は、システム制御ユニット３００に内蔵されていてもよい。位置検出手段の一例である位置センサ２０９の機能は、電気掃除機１００または空気清浄機２００に備えられていてもよい、電気掃除機１００および空気清浄機２００の外部の装置に備えられていてもよい。
【００４１】
また、取得部３０１は、塵埃センサ１０７の検出結果の情報を取得する。本実施の形態において、取得部３０１は、塵埃センサ１０７の検出結果および位置センサ２０９の検出結果に基づいて、電気掃除機１００の位置を示す三次元位置情報および当該位置において電気掃除機１００が除去した塵埃の量を示す塵埃情報を取得する。本実施の形態における塵埃センサ１０７、位置センサ２０９および取得部３０１は、三次元位置情報および塵埃情報を取得する情報取得手段の一例を構成している。
【００４２】
記憶部３０２には、取得部３０１が取得した三次元位置情報および塵埃情報が蓄積される。また、記憶部３０２には、室内における塵埃の堆積状態の予測結果を示す塵埃堆積予測モデルが記憶される。塵埃堆積予測モデルは、三次元位置情報および塵埃情報に基づいて生成される情報である。塵埃堆積予測モデルは、室内の特定の位置における塵埃の堆積状態を示す。塵埃堆積予測モデルには、塵埃が堆積していると予測される位置の三次元の情報およびこの三次元の位置における堆積量の予測値が含まれる。塵埃堆積予測モデルは、室内の特定の位置における塵埃の溜まりやすさを示すものである。
【００４３】
塵埃堆積予測モデルは、例えば、制御部３０３によって生成される。制御部３０３は、記憶部３０２に蓄積された情報に基づいて、一定時間ごとに塵埃堆積予測モデルを更新する。記憶部３０２には、更新後の塵埃堆積予測モデルが記憶される。
【００４４】
本実施の形態において制御部３０３は、送風部２０６を制御する。制御部３０３は、送風手段を制御する制御手段の一例を構成している。制御部３０３は、記憶部３０２に記憶された塵埃堆積予測モデルに基づいて、送風部２０６を制御する。具体的には、制御部３０３は、塵埃が溜まりやすい位置に効率よく空気が流れるように、送風部２０６の送風方向および送風量を制御する。また、制御部３０３は、塵埃堆積予測モデルに基づいて、空気清浄機２００によって効率よく塵埃が捕集されるように、送風部２０６の動作タイミングを制御する。
【００４５】
このように、制御部３０３は、取得部３０１が取得した三次元位置情報および塵埃情報に応じて、送風部２０６を制御する。本実施の形態の清掃システムを構成する空気清浄機２００は、電気掃除機１００の位置を示す三次元位置情報および当該位置において電気掃除機１００が除去した塵埃の量を示す塵埃情報に応じて動作する。本実施の形態の清掃システムを構成する空気清浄機２００であれば、室内の空気を効率よく適切に清浄することができる。
【００４６】
出力部３０４は、空気清浄機２００に設けられた表示部２１０を制御する。表示部２１０は、例えば、タッチパネル等で構成される。なお、表示部２１０は、音声報知を行うように構成されてもよいし、液晶画面等の画面表示部とボタン等の操作部とから構成されてもよい。
【００４７】
表示部２１０は、使用者に対して室内の清掃を支援する情報を表示するものである。出力部３０４は、上記した塵埃堆積予測モデルに基づいて、使用者に対して室内の清掃を支援する情報を表示させる。本実施の形態における出力部３０４および表示部２１０は、上記した三次元位置情報および塵埃情報に応じて、室内の清掃を支援する情報を出力する。出力部３０４および表示部２１０は、室内の清掃を支援する情報を出力する出力手段の一例である。
【００４８】
室内の清掃を支援する情報には、例えば、優先的に清掃するべき位置の情報および室内の各位置を掃除するべきタイミングの情報などが含まれる。表示部２１０は、例えば、清掃するべき位置の情報を、塵埃堆積予測マップとして表示する。塵埃堆積予測マップとは、室内の特定の位置および当該位置における塵埃の溜まりやすさを示す画像を意味する。塵埃堆積予測マップの具体例については、後述する。塵埃堆積予測マップのデータは、例えば、出力部３０４によって生成される。
【００４９】
塵埃堆積予測マップには、三次元の位置情報が含まれる。例えば、塵埃堆積予測マップには、室内に置かれた家具の上面における塵埃の堆積状態の情報と、当該家具の下における塵埃の堆積状態の情報とが含まれる。使用者は、塵埃堆積予測マップを見ることで、例えば、家具の上と当該家具の下とのどちらを優先して清掃するべきかを認識することができる。
【００５０】
なお、表示部２１０によって出力される情報は、上記した塵埃堆積予測マップに限られない。例えば、表示部２１０は、優先的に清掃するべき位置の情報および室内の各位置を掃除するべきタイミングの情報を、文字情報として表示してもよい。また、表示部２１０は、室内の清掃を支援する情報を、音声報知によって使用者に伝えてもよい。
【００５１】
図１および図２示される実施例においては、表示部２１０は、空気清浄機２００に備えられている。表示部２１０は、電気掃除機１００に備えられていてもよい。また、表示部２１０は、電気掃除機１００および空気清浄機２００の外部の装置、例えば、スマートフォン、タブレット端末またはその他の家電を操作するリモコン等に備えられていてもよい。
【００５２】
図２は、あくまで、清掃システムの構成の一例を示すものである。本開示に清掃システムの構成は、図２に示すものに限定されるものではない。図２に示す実施例において、システム制御ユニット３００は、電気掃除機１００および空気清浄機２００の外部に設けられている。システム制御ユニット３００の機能の少なくとも一部は、電気掃除機１００および空気清浄機２００の少なくとも一方に備えられていてもよい。システム制御ユニット３００の機能は、電気掃除機１００に内蔵された制御装置および空気清浄機２００に内蔵された制御装置が連携することによって実現されてもよい。システム制御ユニット３００は、電気掃除機１００および空気清浄機２００の一方に搭載された装置であってもよい。
【００５３】
図３は、実施の形態１に係るシステム制御ユニット３００の機能を実現する構成の一例を示す図である。システム制御ユニット３００の上記した各機能は処理回路により実現される。処理回路は、専用ハードウェア６００であってもよい。処理回路は、プロセッサ６０１およびメモリ６０２を備えていてもよい。処理回路の一部が専用ハードウェア６００として形成され、且つ、当該処理回路は更にプロセッサ６０１およびメモリ６０２を備えていてもよい。図３に示す例において、処理回路の一部は専用ハードウェア６００として形成されている。また、図３に示す例において、処理回路は、専用ハードウェア６００に加えて、プロセッサ６０１およびメモリ６０２を更に備えている。
【００５４】
一部が少なくとも１つの専用ハードウェア６００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００５５】
処理回路が少なくとも１つのプロセッサ６０１および少なくとも１つのメモリ６０２を備える場合、システム制御ユニット３００の各機能は、ソフトウェア、ファームウェア、またはソフトウェアとファームウェアとの組み合わせにより実現される。
【００５６】
ソフトウェアおよびファームウェアはプログラムとして記述され、メモリ６０２に格納される。プロセッサ６０１は、メモリ６０２に記憶されたプログラムを読み出して実行することにより、各部の機能を実現する。プロセッサ６０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ６０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００５７】
このように、処理回路は、ハードウェア、ソフトウェア、ファームウェア、またはこれらの組み合わせによって、システム制御ユニット３００の各機能を実現することができる。
【００５８】
次に、本実施の形態に係る清掃システムの具体的な動作例を説明する。図４は、実施の形態１に係る清掃システムが三次元位置情報および塵埃情報を取得する様子を示すイメージ図である。
【００５９】
使用者は、例えば、電気掃除機１００によって床面４０１上の塵埃を清掃する。塵埃が電気掃除機１００によって除去されると、当該電気掃除機１００の三次元の位置、すなわち床面４０１のうちの清掃された場所の位置が位置センサ２０９によって検出される。そして、塵埃センサ１０７の検出結果および位置センサ２０９の検出結果に基づいて、床面４０１のうちの清掃された場所の位置の三次元の情報および当該位置における塵埃の量の情報が、取得部３０１によって取得される。
【００６０】
また、使用者は、例えば、延長管１０２およびヘッド部１０３を外した状態の電気掃除機１００によって、棚４０２の上面を清掃する。塵埃が電気掃除機１００によって除去されると、当該電気掃除機１００の三次元の位置が位置センサ２０９によって検出される。棚４０２の上面が清掃された場合に位置センサ２０９によって検出される位置情報に含まれる高さ情報は、床面４０１上が清掃された場合に位置センサ２０９によって検出される位置情報に含まれる高さ情報と異なる情報となる。塵埃センサ１０７の検出結果および位置センサ２０９の検出結果に基づいて、棚４０２の上面のうちの清掃された場所の位置の三次元の情報および当該位置における塵埃の量の情報が、取得部３０１によって取得される。
【００６１】
使用者は、例えば、テレビ４０３が置かれたテレビ台４０４および壁等の清掃も行う。室内のうち、電気掃除機１００によって清掃された位置の三次元の情報である三次元位置情報および当該位置において除去された塵埃の量の情報である塵埃情報が、取得部３０１によって取得される。
【００６２】
上記したように、取得部３０１が取得した三次元位置情報および塵埃情報に基づいて、塵埃堆積予測モデルが作成される。制御部３０３は、塵埃堆積予測モデルに基づいて、空気清浄機２００の送風部２０６を制御する。空気清浄機２００は、三次元位置情報に応じて動作する。本実施の形態の清掃システムを構成する空気清浄機２００であれば、例えば、棚４０２の上方に舞う細かい塵埃および壁と天井の境界等の高いところに舞う細かい塵埃等も効率的に捕集することができる。本実施の形態の清掃システムによれば、室内の清潔性を効果的に保持することができる。
【００６３】
また、上記したように表示部２１０は、室内の清掃を支援する情報として、塵埃堆積予測マップを表示する。図５および図６は、実施の形態１に係る塵埃堆積予測マップの具体例を示すイメージ図である。
【００６４】
塵埃堆積予測マップは、室内の状態を示す画像として生成される。塵埃堆積予測マップには、例えば、室内の家具の位置および室内の各位置における塵埃の溜まりやすさの上方が表示される。図５および図６においては、便宜上、塵埃が溜まりやすい位置を塗りつぶすことで表示している。
【００６５】
図５は、一例として、室内の塵埃の溜まりやすさを上方からの視点で表示しているものである。また、図６には、一例として、室内の塵埃の溜まりやすさを水平方向からの視点で表示しているものである。図５および図６に示されるように、塵埃堆積予測マップは、例えば、室内に置かれたテーブル４０５の上面における塵埃の溜まりやすさと当該テーブル４０５の下の塵埃の溜まりやすさとを、区別して表示することができる。塵埃堆積予測マップは、例えば、テレビ台４０４の上面における塵埃の溜まりやすさと当該テレビ台４０４の下の塵埃の溜まりやすさとを、区別して表示することができる。塵埃堆積予測マップは、例えば、棚４０２の上面の塵埃の溜まりやすさと当該棚４０２の中段の塵埃の溜まりやすさとを、区別して表示することができる。
【００６６】
このように、塵埃堆積予測マップには、三次元の位置情報が含まれる。本実施の形態によれば、使用者は、塵埃堆積予測マップを見ることで、優先して清掃するべき位置を適切に判断することができる。本実施の形態の清掃システムによれば、室内の清潔性を効果的に保持することができる。
【００６７】
表示部２１０は、使用者からの操作に応じて、図５に示される状態と図６に示される状態とに切り替えられる。図５および図６に示される例において、表示部２１０は、２つの二次元マップを表示することで、三次元の情報を表示している。表示部２１０は、例えば、三次元の塵埃堆積予測マップを表示してもよい。また、表示部２１０は、例えば、二次元マップと文字情報とを組み合わせることで三次元の情報を表示してもよい。例えば、図５に示される状態の表示部２１０は、塵埃が溜まりやすい位置のうち特定の位置を使用者に指定された場合に、当該位置の高さの情報を表示してもよい。また、表示部２１０は、図５に示されるように室内全体の状態を表示してもよいし、図６に示されるように室内の一部の状態を表示してもよい。
【００６８】
表示部２１０は、例えば、塵埃の溜まりやすさの違いを、色の違いまたは色の濃淡等によって表示する。表示部２１０は、例えば、塵埃の溜まりやすさの違いを、文字情報によって表示してもよい。また、表示部２１０は、例えば、室内のうち特に塵埃が溜まりやすい位置のみを塵埃堆積予測マップ上に表示してもよい。表示部２１０は、例えば、特に優先して掃除すべき位置の情報を、塵埃堆積予測マップ上に表示してもよい。
【００６９】
上記した実施の形態において、電気掃除機１００はコードレスタイプの縦型であるが、本開示に係る清掃システムを構成する電気掃除機１００のタイプはこれに限られない。例えば、電気掃除機１００は、有線式のキャニスタータイプであってもよい。
【００７０】
また、清掃システムを構成する電気掃除機１００は、必ずしも空気清浄機２００に対して着脱自在な機器である必要はない。空気清浄機２００は、電気掃除機１００の充電台としての機能を有していなくてもよい。また、送風手段の一例である送風部２０６と塵埃を捕集するフィルター２０４とは、互いに別の機器に設けられていてもよい。このように、上記の実施の形態で示した清掃システムは、本開示の主旨を逸脱しない範囲において、種々の変形が可能である。また、本開示に係る清掃システムには、三次元位置情報および塵埃情報に応じた送風手段の制御との三次元位置情報および塵埃情報に応じた清掃を支援する情報の出力とのどちらか一方のみを行うものも含まれる。
【００７１】
上記の実施の形態において、制御部３０３は、塵埃堆積予測モデルに基づいて、空気清浄機２００の送風部２０６を制御する。制御部３０３は、例えば、室内の上方をより重点的に送風するように送風部２０６を制御してもよい。例えば、塵埃堆積予測モデルにおいて、棚４０２の上面における塵埃の溜まりやすさと床面４０１の上における塵埃の溜まりやすさとが同程度であると予測された場合、制御部３０３は、床面４０１の上よりも棚４０２の上をより重点的に送風するように送風部２０６を制御してもよい。本例であれば、高いところに舞う細かい塵埃等がより効率よく捕集される。また、使用者による清掃が行き届きにくい高い場所の清潔性が効果的に保持される。
【００７２】
上記の実施の形態における塵埃堆積予測モデルおよび塵埃堆積予測マップは、室内の特定の位置における塵埃の溜まりやすさの予測結果を示すものである。制御部３０３は、例えば、現時点で塵埃が溜まっている状態の予測結果を示す塵埃堆積状態モデルを生成してもよい。塵埃堆積状態モデルは、例えば、塵埃堆積予測モデルと電気掃除機１００の使用履歴の情報とに基づいて生成される。電気掃除機１００の使用履歴の情報は、例えば、取得部３０１が塵埃センサ１０７から取得する。本例において、塵埃センサ１０７は、電気掃除機１００が使用された時刻の情報を取得部へ送信する。
【００７３】
出力部３０４は、例えば、現時点で塵埃が溜まっている状態の予測結果を示す塵埃堆積状態マップのデータを、上記塵埃堆積状態モデルから生成してもよい。そして、出力部３０４は、清掃を支援する情報として、塵埃堆積状態マップを表示部２１０に表示させてもよい。
【００７４】
塵埃堆積状態マップは、塵埃堆積予測マップと同様、室内の状態を示す画像である。塵埃堆積状態マップの具体例は、図５および図６に示される塵埃堆積予測マップの具体例と同様である。塵埃堆積状態マップは、例えば、所定時間内において清掃が行われた位置には塵埃が溜まっていないことを示す。塵埃堆積状態マップは、使用者が電気掃除機１００によって清掃を行う都度更新される。使用者は、現時点で塵埃が溜まっている状態の予測結果を示す塵埃堆積状態マップを見ることで、優先して清掃するべき位置をより正確に認識することができる。
【００７５】
塵埃堆積予測モデルおよび塵埃堆積予測マップは、上記したように、塵埃の溜まりやすさを示すものである。また、塵埃堆積状態モデルおよび塵埃堆積状態マップは、上記したように、現時点の塵埃の堆積状態を示すものである。塵埃堆積予測モデル、塵埃堆積予測マップ、塵埃堆積状態モデルおよび塵埃堆積状態マップのいずれも、塵埃の堆積量に関する情報を含むものである。
【００７６】
また、例えば、出力部３０４は、電気掃除機１００の二次電池の残量に応じて、当該電気掃除機１００による室内の清掃を支援する情報を表示部２１０に表示させてもよい。例えば、出力部３０４は、過去に電気掃除機１００が使用された位置および時間等の情報と二次電池の残量の情報とから、充電が切れる前に清掃を行うことができる範囲の情報を表示部２１０に表示させてもよい。表示部２１０は、充電が切れる前に清掃を行うことができる範囲の情報を、塵埃堆積予測マップまたは塵埃堆積状態マップと併せて表示してもよい。また、表示部２１０は、例えば、電気掃除機１００が充電されている際、二次電池の残量が優先して掃除すべき範囲の清掃を完了するのに十分な残量になった時点で使用者に清掃を促す情報を表示してもよい。本例であれば、電池切れによる清掃の中断が防止される。
【符号の説明】
【００７７】
１００  電気掃除機、  １０１  掃除機本体部、  １０２  延長管、  １０３  ヘッド部、  １０４  把持部、  １０５  吸込管、  １０６  集塵部、  １０７  塵埃センサ、  ２００  空気清浄機、  ２０１  台座部、  ２０２  タワー部、  ２０３  吸込口、  ２０４  フィルター、  ２０５  吹出口、  ２０６  送風部、  ２０７  ファン、  ２０８  ルーバー、  ２０９  位置センサ、  ２１０  表示部、  ３００  システム制御ユニット、  ４０１  床面、  ４０２  棚、  ４０３  テレビ、  ４０４  テレビ台、  ４０５  テーブル、  ６００  専用ハードウェア、  ６０１  プロセッサ、  ６０２  メモリ
【図１】
2020182689.tif 000003
【図２】
2020182689.tif 000004
【図３】
2020182689.tif 000005
【図４】
2020182689.tif 000006
【図５】
2020182689.tif 000007
【図６】
2020182689.tif 000008